(57)【要約】      （修正有）【課題】児童の登下校中などのランドセルの着用時にのみ児童の安全を監視でき、授業中や在宅時などのランドセルの不使用時にはカメラの不正利用をさせない安全監視装置、安全監視方法、背負いカバン、安全監視システムを提供する。【解決手段】ランドセルに備えた安全監視システムの制御部において、着用感知部が、児童がランドセルを着用していることを感知すると、着用判断部１５４が着用の有無を判断し、カメラ動作指示部１５５が、児童のランドセルに付帯され、着用感知部が着用していることを感知したときのみ撮像する。【選択図】図５
2019152919.tif 000002
【特許請求の範囲】
【請求項１】
安全監視対象者の所持物に装着して前記安全監視対象者の移動状況を監視する安全監視装置において、
前記安全監視対象者が前記所持物を着用していることを感知する着用感知手段と、
前記所持物に付帯され、前記着用感知手段が着用していることを感知したときのみ前記移動状況を撮像する着用時撮像手段と、
を備えることを特徴とする安全監視装置。
【請求項２】
前記着用感知手段は、
前記所持物と前記安全監視対象者とが移動時に常時接触する常時接触点で着用していることを感知することを特徴とする請求項１記載の安全監視装置。
【請求項３】
前記着用感知手段は、
前記常時接触点で前記安全監視対象者の体温を感知する感温センサー、
であることを特徴とする請求項２記載の安全監視装置。
【請求項４】
前記着用感知手段は、
前記常時接触点で前記安全監視対象者と前記所持物とが接触する圧力を感知する感圧センサー、
であることを特徴とする請求項２記載の安全監視装置。
【請求項５】
前記安全監視対象者の存在位置の位置情報を取得する位置情報取得手段、
を備えることを特徴とする請求項１記載の安全監視装置。
【請求項６】
前記安全監視対象者の周辺の音声を取得する音声取得手段、
を備えることを特徴とする請求項１記載の安全監視装置。
【請求項７】
前記撮像手段は、
前記安全監視対象者の前方もしくは後方、または前後方に向けて備えられたカメラ、
であることを特徴とする請求項１記載の安全監視装置。
【請求項８】
前記安全監視対象者が危険にさらされたときに、前記安全監視対象者の操作によって警報音を発する警報音出力手段、
を備えることを特徴とする請求項１記載の安全監視装置。
【請求項９】
前記着用時撮像手段が撮像した映像を記憶する記憶手段、
を備えることを特徴とする請求項１記載の安全監視装置。
【請求項１０】
前記着用感知手段は、
前記安全監視対象者が前記所持物を使用していることを感知する、
ことを特徴とする請求項１記載の安全監視装置。
【請求項１１】
安全監視対象者の所持物に装着して前記安全監視対象者の移動状況を監視する安全監視方法において、
着用感知手段が、前記安全監視対象者が前記所持物を着用していることを感知するステップと、
着用時撮像手段が、前記所持物に付帯され、前記着用感知手段が着用していることを感知したときのみ撮像するステップと、
を備えることを特徴とする安全監視方法。
【請求項１２】
安全監視対象者の所持物に装着して前記安全監視対象者の移動状況を監視する安全監視システムにおいて、
前記安全監視対象者が前記所持物を着用していることを感知する着用感知手段と、
前記所持物に付帯され、前記着用感知手段が着用していることを感知したときのみ前記移動状況を撮像する着用時撮像手段と、
を備えることを特徴とする安全監視装置と、
通信網を介して前記着用時撮像手段が撮像した映像を受信する端末機器と、
を備えることを特徴とする安全監視システム。
【請求項１３】
安全監視対象者の移動状況を監視する背負い鞄において、
前記安全監視対象者が前記背負い鞄を着用していることを感知する着用感知手段と、
前記背負い鞄に付帯され、前記着用感知手段が着用していることを感知したときのみ前記移動状況を撮像する着用時撮像手段と、
を備えることを特徴とする背負い鞄。
【発明の詳細な説明】
【技術分野】
【０００１】
本発明は、安全監視装置、安全監視方法、背負いカバン、安全監視システムに関し、特に歩行者の移動状況の監視を行なう安全監視装置、安全監視方法、背負いカバン、安全監視システムに関する。
【背景技術】
【０００２】
近年、登校時の子供の安全を脅かすような事件や事故が頻繁に発生し、子供たちが事件や事故に巻き込まれることが多くなってきている。例を挙げると、交通事故や不審者による声かけ、誘拐などがある。
【０００３】
このような状況で、子供たちの安全を守るためには、学校での取り組みだけではなく、地域団体や地域住民、ＰＴＡ（Parent-Teacher Association）などが協力し、通学路や学校内外での安全を守っていかなければならない。
【０００４】
そこで、ランドセルなどの背負いカバンにカメラを設置し、子供たちの登下校時における安全を監視する背負いカバンや、安全監視システムが開発されている（たとえば、特許文献１参照）。
【０００５】
特許文献１で開示されたランドセルでは、一方の肩ベルトの外面にカメラが固着され、ランドセル本体には、カメラで撮影された映像を送信する送信機が備えられている。この特許文献１で開示されたランドセルを児童が背負って登下校する際に、固着されたカメラで児童の前方を撮影し、その映像を送信機により送信し、移動通信ネットワークを介して保護者宅等に備えられた端末装置に伝送する。これにより、保護者は、端末装置のモニタで登下校中の児童の安全を監視することができる。
【先行技術文献】
【特許文献】
【０００６】
【特許文献１】特開２００６−２８５７４９号公報
【発明の概要】
【発明が解決しようとする課題】
【０００７】
しかし、上記のカメラは登下校時以外にも作動してしまう問題があった。例えば、上記のカメラでは、時間を問わずカメラで撮影した映像を端末装置で見ることが出来る。つまり、学校での着替え時の隠し撮りなどの犯罪に使われてしまう問題があった。
また、カメラに不正にアクセスして、生活の様子を盗み見したり、女性や小さい女児などの隠し撮りをしたりなどに悪用される恐れがある。
【０００８】
そこで、上記カメラにＯＮ・ＯＦＦのスイッチを設け、保護者や児童がスイッチを入れない限り、カメラが動作しないようにすることが考えられる。しかし、登下校時にのみカメラの動作スイッチをＯＮにし、授業中などの登下校時以外にＯＦＦにする管理を児童に自己管理させるのは非常に困難である。
【０００９】
また仮に登下校中にカメラの動作スイッチをＯＮにすることを忘れてしまった場合、カメラは動作しないので、もちろん保護者は登下校中の児童の安全を監視することができなくなる。
【００１０】
さらにカメラの動作スイッチをＯＦＦにし忘れてしまった場合には、授業中や学校での着替えなどの盗撮が可能な状況になってしまう。また、ランドセルは移動して荷物の持ち運びに用いるため、商用電源から常に電源を確保することが不可能であり、バッテリーなどの蓄電池によってカメラが動作している。
【００１１】
このためカメラの動作スイッチをＯＦＦにし忘れてしまった場合には、蓄電池を早く消耗させてしまい、肝心な登下校時にカメラで児童の安全を監視することができなくなってしまう問題があった。
【００１２】
本発明はこのような点に鑑みてなされたものであり、児童の登下校中などのランドセルの着用時にのみ児童の安全を監視でき、授業中や在宅時などのランドセルの不使用時にはカメラの不正利用をさせない安全監視装置、安全監視方法、背負いカバン、安全監視システムを提供することを目的とする。
【課題を解決するための手段】
【００１３】
本発明では上記問題を解決するために、安全監視対象者の所持物に装着して前記安全監視対象者の移動状況を監視する安全監視装置において、前記安全監視対象者が前記所持物を着用していることを感知する着用感知手段と、前記所持物に付帯され、前記着用感知手段が着用していることを感知したときのみ前記移動状況を撮像する着用時撮像手段とを備えることを特徴とする安全監視装置が提供される。
【００１４】
これにより、着用感知手段が、安全監視対象者が所持物を着用していることを感知し、着用時撮像手段が、所持物に付帯され、着用感知手段が着用していることを感知したときのみ撮像する。
【００１５】
また、本発明では、安全監視対象者の所持物に装着して前記安全監視対象者の移動状況を監視する安全監視方法において、着用感知手段が、前記安全監視対象者が前記所持物を着用していることを感知するステップと、着用時撮像手段が、前記所持物に付帯され、前記着用感知手段が着用していることを感知したときのみ撮像するステップとを備えることを特徴とする安全監視方法が提供される。
【００１６】
これにより、着用感知手段が、安全監視対象者が所持物を着用していることを感知し、着用時撮像手段が、所持物に付帯され、着用感知手段が着用していることを感知したときのみ撮像する。
【００１７】
また、本発明では、安全監視対象者の所持物に装着して前記安全監視対象者の移動状況を監視する安全監視システムにおいて、前記安全監視対象者が前記所持物を着用していることを感知する着用感知手段と、前記所持物に付帯され、前記着用感知手段が着用していることを感知したときのみ前記移動状況を撮像する着用時撮像手段とを備えることを特徴とする安全監視装置と、通信網を介して前記着用時撮像手段が撮像した映像を受信する端末機器とを備えることを特徴とする安全監視システムが提供される。
【００１８】
これにより、安全監視装置が、着用感知手段が、安全監視対象者が所持物を着用していることを感知し、着用時撮像手段が、所持物に付帯され、着用感知手段が着用していることを感知したときのみ撮像し、端末機器が、通信網を介して前記着用時撮像手段が撮像した映像を受信する。
【００１９】
また、本発明では、安全監視対象者の移動状況を監視する背負い鞄において、前記安全監視対象者が前記背負い鞄を着用していることを感知する着用感知手段と、前記背負い鞄に付帯され、前記着用感知手段が着用していることを感知したときのみ前記移動状況を撮像する着用時撮像手段とを備えることを特徴とする背負い鞄が提供される。
【００２０】
これにより、着用感知手段が、安全監視対象者が背負い鞄を着用していることを感知し、着用時撮像手段が、背負い鞄に付帯され、着用感知手段が着用していることを感知したときのみ撮像する。
【発明の効果】
【００２１】
本発明の安全監視装置、安全監視方法、背負いカバン、安全監視システム装置によれば、着用感知手段が、安全監視対象者が所持物を着用していることを感知し、着用時撮像手段が、所持物に付帯され、着用感知手段が着用していることを感知したときのみ撮像するので、児童の登下校中などのランドセルの着用時にのみ児童の安全を監視でき、授業中や在宅時などの登下校中以外、つまりランドセルの不使用時にはカメラで不正に撮像されることがない。
【図面の簡単な説明】
【００２２】
【図１】第１の実施の形態に係る安全監視装置を備えたランドセルの背当て側から見た外観概略図である。
【図２】第１の実施の形態に係る安全監視装置を備えたランドセルの本体部を覆った状態の被せ部側から見た外観概略図である。
【図３】安全監視装置を備えたランドセルを背負う児童を側面から見た外観概略図である。
【図４】本発明の第１の実施形態に係る安全監視システムの構成を示すブロック図である。
【図５】制御部の詳細を示すブロック図である。
【図６】本実施の形態の安全監視装置が備える制御部が児童の周辺情報を取得するまでの処理を示すフローチャートである。
【図７】児童がランドセルの着用している時に保護者の端末機器に表示される児童周辺情報の状態を示す図である。
【図８】児童がランドセルを着用していな時に保護者の端末機器に表示される児童周辺情報の状態を示す図である。
【図９】第２の実施の形態に係る安全監視装置を示す外観概略図である。
【図１０】第２の実施の形態に係る安全監視装置を取付けたランドセルを背負う児童を側面から見た外観概略図である。
【発明を実施するための形態】
【００２３】
以下、本発明の実施の形態を、図面を参照して詳細に説明する。
〔第１の実施の形態〕
図１は、第１の実施の形態に係る安全監視装置を備えたランドセルの背当て側から見た外観概略図である。
【００２４】
図１に示すようにランドセル１０は、安全監視装置１００を内部に備えている。
ランドセル１０は、収容物を収容するための３辺が閉口され、上部に開口部を有する箱状態の本体部１１、本体部１１の背面側の上端から開口部を覆うように被せ部１２、本体部１１の背面側上端中央部と本体部１１の背面側端両側部とを連結する一対の肩ベルト１３とを備えている。
【００２５】
安全監視装置１００は、カメラ部１１０、集音マイク部１２０、警報音出力部１３０、着用感知部１４０、制御部１５０、および電源部１６０を備えている。
カメラ部１１０は静止画を撮像するスチルカメラや動画を撮像するビデオカメラであって、ランドセルを背負う児童の前方に向かって、例えば肩ベルト１３の一方から前方に向かって埋め込まれ、接続された制御部１５０の指示によって児童の前方の撮像を行なうためのものである。
【００２６】
集音マイク部１２０はランドセル１０の一部、例えばカメラ部１１０が埋め込まれた肩ベルト１３の周囲に埋め込まれ、ランドセルを背負う児童周辺の音声を集音するためのマイクであって、制御部１５０の指示によって動作するカメラ部１１０の撮像に連動して集音を行なうためのものである。
【００２７】
警報音出力部１３０はランドセル１０の一部、例えばカメラ部１１０が埋め込まれた肩ベルト１３の周囲に埋め込まれ、児童が自分のみに危険を察知した場合に、児童が操作することで警告音を発する。
【００２８】
具体的には、警報音出力部１３０は危険を察知した児童が、警報音出力部１３０に備えられたフック１３１を警報音出力部１３０から引き抜くことで、警報音出力部１３０は大音量の警告音を発し、周囲に警告音を発した児童が危険にさらされていることを知らせることができる。児童が行なう操作は、フック１３１を引き抜く操作だけでなく、警報音出力部１３０に警告音を発するためのボタンを設け、そのボタンを児童が押すことで警告音を出力するようにしてもよい。
【００２９】
着用感知部１４０は児童がランドセル１０を着用していることを感知するためのものであって、例えば感温センサーや感圧センサーを用いて着用していることを感知し、その着用状況を接続された制御部１５０に送信する。これにより制御部１５０は、児童がランドセル１０を着用時にカメラ部１１０に撮像指示を行なうことができる。
【００３０】
具体的には、着用感知部１４０が感温センサーの場合、児童がランドセル１０を背負ったときに常に接する位置、例えば肩ベルト１３の裏側面や本体部１１の背面側に感温センサーである着用感知部１４０を設け、児童がランドセル１０を背負うことで児童の体温が感温センサーである着用感知部１４０に伝わり、設定した一定の温度を超えることで着用感知部１４０がランドセル１０を児童が着用していることを感知する。
【００３１】
また、着用感知部１４０が感圧センサーの場合、児童がランドセル１０を背負ったときに常に接する位置、例えば肩ベルト１３の裏側面や本体部１１の背面側など、ランドセル１０の重みにより児童への圧力で反応する位置に感圧センサーである着用感知部１４０を設け、児童がランドセル１０を背負うことでランドセル１０の重量が感圧センサーである着用感知部１４０に伝わり、設定した一定の圧力を超えることで着用感知部１４０がランドセル１０を児童が着用していることを感知する。
【００３２】
制御部１５０は、カメラ部１１０、集音マイク部１２０、警報音出力部１３０、着用感知部１４０、および電源部１６０に接続されており、カメラ部１１０による撮像動作、集音マイク部１２０による集音操作、着用感知部１４０による着用感知などを制御するためのものである。詳細は後述する。
【００３３】
電源部１６０は、安全監視装置１００に電力を供給するためのものであり、接続されたカメラ部１１０、集音マイク部１２０、警報音出力部１３０、着用感知部１４０、および制御部１５０動作させるための電力を供給する。
【００３４】
例えば電源部１６０はエネルギー密度が高いリチウムイオン電池を採択することで、ニッケルカドミウム電池やニッケル水素電池と比較して電源部１６０を小型かつ軽量に設計することができる。
【００３５】
またリチウムイオン電池は、充放電のサイクルの寿命が長い、急速充電可能、メモリー効果がない、自然放電が少ないなど多くのメリットがあるため、６年間使用するランドセル１０に十分対応することができる。なお電源部１６０にはＵＳＢインターフェイスが備えられており、商用電源からアダプターを介することで電源部１６０に合わせた形式で充電することができる。
【００３６】
図２は、第１の実施の形態に係る安全監視装置を備えたランドセルの本体部を覆った状態の被せ部側から見た外観概略図である。
図２に示すように、ランドセルを背負う児童の後方に向かって、例えば被せ部１２の上部から後方に向かってカメラ部１１０Ａを埋め込むこともできる。これにより、被せ部１２に埋め込まれたカメラ部１１０Ａは、接続された制御部１５０の指示によって児童の後方の撮像を行なうことができる。
【００３７】
またカメラ部１１０を児童の後方に向かって設置する場合は、児童の後方が撮像できれば、どのような位置に設置してもよく、例えば被せ部１２の下部から後方に向かってカメラ部１１０Ｂを埋め込むこともできる。これにより、被せ部１２に埋め込まれたカメラ部１１０Ｂは、接続された制御部１５０の指示によって児童の後方の撮像を行なうことができる。
【００３８】
図３は、安全監視装置を備えたランドセルを背負う児童を側面から見た外観概略図である。
図３に示すように、カメラ部１１０をランドセル１０の前方および後方に向かって設置することで、矢印の示すように児童の前後方をカメラ部１１０によって撮像することができる。これにより児童の周囲を保護者が監視することができる。保護者の監視方法については後述する。
【００３９】
また着用感知部１４０は、例えば着用感知部１４０Ａ〜１４０Ｄのように、ランドセル１０と児童とが接触している任意の位置に設置することができる。
具体的には、着用感知部１４０Ａは、一方の肩ベルト１３の裏側面かつ児童の胸部と接触する位置に設置されている。これにより児童の体温を感知、または児童がランドセル１０を背負ったときにランドセル１０の自重と児童の胸部との圧力を着用感知部１４０Ａが感知し、その着用状況を接続された制御部１５０に送信する。
【００４０】
また、着用感知部１４０Ｂは、一方の肩ベルト１３の裏側面かつ児童の肩上部と接触する位置に設置されている。これにより児童の体温を感知、または児童がランドセル１０を背負ったときにランドセル１０の自重と児童の肩上部との圧力を着用感知部１４０Ｂが感知し、その着用状況を接続された制御部１５０に送信する。
【００４１】
また、着用感知部１４０Ｃは、本体部１１の背面側上部かつ児童の背部と接触する位置に設置されている。これにより児童の体温を感知、または児童がランドセル１０を背負ったときにランドセル１０の自重と児童の背部との圧力を着用感知部１４０Ｃが感知し、その着用状況を接続された制御部１５０に送信する。
【００４２】
また、着用感知部１４０Ｄは、本体部１１の背面側下部かつ児童の腰部と接触する位置に設置されている。これにより児童の体温を感知、または児童がランドセル１０を背負ったときにランドセル１０の自重と児童の腰部との圧力を着用感知部１４０Ｃが感知し、その着用状況を接続された制御部１５０に送信する。
これにより制御部１５０は、児童がランドセル１０を着用時にカメラ部１１０に撮像指示を行なうことができる。
【００４３】
図４は、本発明の第１の実施形態に係る安全監視システムの構成を示すブロック図である。
図４に示すように、安全監視装置１００を備えたランドセル１０は、インターネット２００を介して、サーバ３００、および端末機器４００に接続されている。
【００４４】
安全監視装置１００は、児童がランドセル１０を着用しているときに、インターネット２００を介してサーバ３００にランドセル１０に内蔵されたカメラ部１１０で撮像した情報を送信し、サーバ３００はその情報を記憶する。
【００４５】
端末機器４００は、例えば保護者が利用するパーソナルコンピュータや携帯端末機器であって、保護者がサーバ３００に情報リクエストを送信することで、サーバ３００に記憶された児童の周囲の映像などを得ることができる。なお、ここではカメラ部１１０で撮像した映像および集音マイク部で集音した音声を合わせて総称として児童周辺情報と呼ぶこととする。
【００４６】
またここでは、安全監視装置１００が取得した児童周辺情報をサーバ３００に記憶させたが、安全監視装置１００が児童周辺情報を取得し、インターネット２００を介して、保護者が利用する端末機器４００に直接送信するようにしてもよい。
【００４７】
このように、ランドセル１０に設置された安全監視装置１００が、児童がランドセル１０を着用しているときのみ児童周辺情報を取得し、インターネット２００を介して保護者に提供できるので、児童が危険にさらされたときに、保護者が危険をいち早く察知することができ、危険な状況を未然に防ぐことができる。
【００４８】
また、ランドセル１０を児童が着用しているときのみカメラ部１１０が児童周辺情報を撮像するので、児童の登下校中にのみ安全を監視でき、授業中や在宅時などの登下校中以外では不正に撮像されることがない。
【００４９】
また安全監視装置１００によって取得された児童周辺情報は、サーバ３００または保護者が利用する端末機器４００に記憶されるので、万が一児童が事件や事故に巻き込まれた場合に、加害者を特定する有力な情報として記憶された児童周辺情報を利用することができる。
【００５０】
図５は、制御部の詳細を示すブロック図である。
図５に示すように、制御部１５０は、送受信部１５１、位置情報取得部１５２、記憶部１５３、着用判断部１５４、およびカメラ動作指示部１５５を備えている。
【００５１】
送受信部１５１は、例えばインターネット２００と接続するためのインターフェイスであって、ＳＩＭカード（Subscriber Identity Module Card）を利用して移動通信システムに接続したり、無線ＬＡＮ（Local Area Network）を利用して公衆無線ＬＡＮなどに接続したりして情報を送受信することができる。
【００５２】
送受信部１５１は、インターネット２００、位置情報取得部１５２、および記憶部１５３に接続されており、インターネット２００を介してサーバ３００に記憶部１５３に記憶された情報や、位置情報取得部１５２が取得した児童の位置情報を送信したり、保護者からの情報要求リクエストに応じて、記憶部１５３に記憶された情報や、位置情報取得部１５２が取得した児童の位置情報を保護者が利用する端末機器４００に送信したりする。
【００５３】
位置情報取得部１５２は、安全監視装置１００が設置されたランドセル１０の位置情報を取得するためのものであり、たとえばグローバル・ポジショニング・システムを利用してランドセル１０の位置情報を取得するものである。
【００５４】
位置情報取得部１５２は送受信部１５１および記憶部１５３に接続され、ランドセル１０の位置情報を記憶部１５３に記憶、またはインターネット２００を介してサーバ３００に記憶する。あるいは保護者からの情報要求リクエストに応じて、ランドセル１０の位置情報を保護者が利用する端末機器４００に送信することができる。
【００５５】
記憶部１５３は、取得した情報を記憶するための情報記憶媒体であり、接続された位置情報取得部１５２やカメラ動作指示部１５５によって動作するカメラ部１１０や集音マイク部１２０から得る情報を記憶する。
【００５６】
着用判断部１５４は、着用感知部１４０およびカメラ動作指示部１５５に接続され、着用感知部１４０により児童がランドセル１０を着用している状態か、または着用していない状態かを判断するためのものである。
【００５７】
カメラ動作指示部１５５は、記憶部１５３、着用判断部１５４およびカメラ部１１０に接続されており、児童がランドセル１０を着用していると着用判断部１５４が判断したときのみ、カメラ部１１０や集音マイク部１２０をどうさせるためのものである。
また児童がランドセル１０を着用しているときのみカメラ部１１０が撮像した情報や、集音マイク部１２０が録音した情報は記憶部１５３に一時的に記憶される。
【００５８】
なお記憶部１５３に記憶された情報は、一定の容量で記憶され、インターネット２００を介してサーバ３００や保護者が利用する端末機器４００に転送され、それぞれの記憶媒体に記憶されると、その転送された情報は記憶部１５３から削除されるようにしてもよい。
【００５９】
また記憶部１５３に一時的に情報が記憶されるので、送受信部１５１の通信状態が悪い場合などは、記憶部１５３に記憶された情報を通信状態が良好になったときにサーバ３００や端末機器４００に転送することができる。
【００６０】
図６は、本実施の形態の安全監視装置が備える制御部が児童周辺情報を取得するまでの処理を示すフローチャートである。以下、図６に示す処理をステップ番号に沿って説明する。
【００６１】
〔ステップＳ１１〕制御部１５０は児童がランドセル１０を着用しているか否かを判断する。具体的には、着用感知部１４０から得た状態から児童がランドセル１０を着用しているか否かを着用判断部１５４が判断する
【００６２】
児童がランドセル１０を着用していないと判断したときは、ステップＳ１１の処理を繰り返し、児童がランドセル１０を着用していると判断したときは、処理をステップＳ１２へ進める。
【００６３】
〔ステップＳ１２〕制御部１５０は、カメラ部１１０の撮像動作を始動させる。具体的には、カメラ動作指示部１５５が接続されたカメラ部１１０および集音マイク部１２０に対して撮像および集音を開始する指示を送信し、カメラ部１１０および集音マイク部１２０を始動させる。
【００６４】
〔ステップＳ１３〕制御部１５０は児童がランドセル１０を着用しているか否かを判断する。具体的には、着用感知部１４０から得た状態から児童がランドセル１０を着用しているか否かを着用判断部１５４が判断する。
【００６５】
児童がランドセル１０を着用していると判断したときは、ステップＳ１３の処理を繰り返し、児童がランドセル１０を着用していないと判断したときは、処理をステップＳ１４へ進める。
【００６６】
〔ステップＳ１４〕制御部１５０は、カメラ部１１０の撮像動作を停止させる。具体的には、カメラ動作指示部１５５が接続されたカメラ部１１０および集音マイク部１２０に対して撮像および集音を停止する指示を送信し、カメラ部１１０および集音マイク部１２０を停止させる。
【００６７】
以上のように、着用判断部１５４がランドセル１０の着用状況によって、カメラ部１１０の動作をカメラ動作指示部１５５が指示するので、カメラ部１１０は児童がランドセル１０を着用しているときのみ児童周辺情報を撮像する。
【００６８】
図７は、児童がランドセルの着用している時に保護者の端末機器に表示される児童周辺情報の状態を示す図である。
図７に示すように、保護者が利用する端末機器には、場所、前カメラ、後カメラの情報が表示されている。
【００６９】
場所の表示欄には、位置情報取得部１５２が取得したランドセル１０の位置情報が星マークで表示されている。このことから、ランドセル１０を所持した児童は、学校付近の道路にいることがわかる。
【００７０】
また前カメラの表示欄には、カメラが撮像した情報が表示されているので、児童はランドセル１０を着用している状態だと保護者は判断することができる。また表示された情報からは、歩道を児童が歩行していることがわかり、前方に車が通行していることがわかる。
【００７１】
このとき、万が一事故があった場合、前カメラの情報に車の色や形状、ナンバーなどが表示されていれば、加害者を特定する有力な情報として記憶された児童周辺情報を利用することができる。
【００７２】
また後カメラの表示欄には、カメラが撮像した情報が表示されているので、児童はランドセル１０を着用している状態だと保護者は判断することができる。また表示された情報からは、歩道を児童が歩行していることがわかり、後方には誰もいないことがわかる。
このことから、保護者はランドセル１０を着用した児童の位置や、周囲に不審者がいないことがわかり、安心することができる。
【００７３】
図８は、児童がランドセルを着用していな時に保護者の端末機器に表示される児童周辺情報の状態を示す図である。
図８に示すように、保護者が利用する端末機器には、場所、前カメラ、後カメラの情報が表示されている。
【００７４】
場所の表示欄には、位置情報取得部１５２が取得したランドセル１０の位置情報が星マークで表示されている。このことから、ランドセル１０を所持した児童は、学校の内部にいることがわかる。
【００７５】
また前カメラおよび後カメラの表示欄には、カメラが動作を停止している状態が表示されている。これにより、児童はランドセル１０を着用していない状態だと判断することができ、保護者は不正にランドセル１０に設置されたカメラ部１１０から、児童周辺情報を取得することはできない。
【００７６】
以上のように、第１の実施の形態に係る安全監視装置を備えたランドセルでは着用感知部１４０が、児童がランドセル１０を着用していることを感知し、カメラ部１１０が、児童のランドセル１０に付帯され、着用感知部１４０により着用判断部１５４がランドセルを着用していることを感知したときのみカメラ部１１０が児童周辺情報を撮像するので、児童の登下校中などのランドセル着用時のみ安全を監視でき、授業中や在宅時などの登下校中以外では不正に児童周辺情報を撮像されることがない。
【００７７】
〔第２の実施の形態〕
次に、本発明の第２の実施の形態について説明する。本実施の形態の安全監視装置は、あらかじめランドセルに設置されるものではなく、ランドセルに後付けが可能な点以外は、第１の実施の形態で示した構成とほぼ同様である。このため、上記第１の実施の形態とほぼ同様の構成部分については同一の符号を付すなどして適宜その説明を省略する。
【００７８】
図９は、第２の実施の形態に係る安全監視装置を示す外観概略図である。
図９は、安全監視装置１００は、カメラ部１１０、集音マイク部１２０、警報音出力部１３０、着用感知部１４０、制御部１５０、電源部１６０、および取付部１７０を備えている。
【００７９】
取付部１７０は、例えばランドセル１０の肩ベルト１３を通すことができる筒状の取付本体部１７１を備え、取付けやすいように例えばメッシュ材などの生地で形成されている。
【００８０】
取付部１７０の上端には、取付本体部１７１を肩ベルト１３に固定するための固定ヒモ１７２を備えており、取付本体部１７１に通した肩ベルト１３の任意の位置に固定ヒモ１７２を結びつけることで、取付本体部１７１を肩ベルト１３に固定するためのものである。
【００８１】
取付本体部１７１の表面には、例えば夕暮れや夜間に交通事故に遭わないように、反射材１７３を備えることもできる。これにより夜間に走行してきた車のライトを反射させて、児童の存在を知らせることができる。
【００８２】
また取付本体部１７１の表面には、カメラ部１１０、集音マイク部１２０、警報音出力部１３０が備えられ、取付本体部１７１の裏面には、着用感知部１４０が備えられている。
【００８３】
また取付部１７０に備えられたカメラ部１１０、集音マイク部１２０、警報音出力部１３０、および着用感知部１４０には、各々を制御するための制御部１５０および電力を供給するための電源部１６０が備えられ、制御部１５０および電源部１６０を保護しランドセル１０に固定するための保護箱１８０に収容されている。
【００８４】
図１０は、第２の実施の形態に係る安全監視装置を取付けたランドセルを背負う児童を側面から見た外観概略図である。
図１０に示すように、取付部１７０の取付本体部１７１はランドセル１０の肩ベルト１３に通され、肩ベルト１３の上端部で固定ヒモ１７２によって取付部１７０が肩ベルト１３に固定されている。
【００８５】
また制御部１５０および電源部１６０を収容した保護箱１８０は、ランドセル１０の本体部１１の側面に固定される。
これにより、取付部１７０の裏面に備えられた着用感知部１４０は、児童がランドセル１０の着用状態を感知し、制御部１５０がランドセル１０を児童が着用していると判断したときのみ、取付部１７０の表面に備えられたカメラ部１１０、集音マイク部１２０を動作させる。
【００８６】
これにより、あらかじめランドセル１０に安全監視装置１００を備えていないランドセルでも、安全監視装置１００を後付けすることができる。これにより保護者は児童の登下校中などのランドセル着用時のみ安全を監視でき、授業中や在宅時などの登下校中以外では不正に児童周辺情報を撮像されることがない。
【００８７】
なお、本実施の形態では、ランドセルを着用した児童を安全監視装置１００が監視するが、安全監視装置１００が監視する対象は児童限らずあらゆる歩行者を対象とすることができる。
【００８８】
例えば、ハンドバッグの持ち手部のように、ハンドバッグの所持した歩行者とハンドバックとが接する部分に着用感知部１４０を設置し、ハンドバッグの本体部に備えたカメラ部１１０でハンドバッグの着用時のみ歩行者の監視を行なうこともできる。
【００８９】
なお、日本の道路交通法上では道路の上を車両によらない方法で移動している人のことを意味し、身体障害者用の車いす、歩行補助車等又は小児用の車を通行させている者、自動二輪車、二輪の原動機付自転車又は二輪若しくは三輪の自転車（側車付きのもの及び他の車両を牽引しているもの以外）を押して歩いている者も含まれる。
【００９０】
例えば他に、安全監視装置１００を自転車に取り付け、安全監視装置１００が備える着用感知部１４０を、自転車の利用者と自転車とが接触する点である自転車のサドル部分に設置する。こうすることで、自転車の利用者が自転車を利用しているときのみ、自転車で利用者が移動する周辺情報をカメラ部１１０が撮像し、保護者が利用者の周辺情報を監視するようにしてもよい。
【符号の説明】
【００９１】
１０  ランドセル
１１  本体部
１２  被せ部
１３  肩ベルト
１００  安全監視装置
１１０、１１０Ａ、１１０Ｂ  カメラ部
１２０  集音マイク部
１３０  警報音出力部
１３１  フック
１４０、１４０Ａ、１４０Ｂ、１４０Ｃ、１４０Ｄ  着用感知部
１５０  制御部
１５１  送受信部
１５２  位置情報取得部
１５３  記憶部
１５４  着用判断部
１５５  カメラ動作指示部
１６０  電源部
１７０  取付部
１７１  取付本体部
１７２  固定ヒモ
１７３  反射材
１８０  保護箱
２００  インターネット
３００  サーバ
４００  端末機器
【図１】
2019152919.tif 000003
【図２】
2019152919.tif 000004
【図３】
2019152919.tif 000005
【図４】
2019152919.tif 000006
【図５】
2019152919.tif 000007
【図６】
2019152919.tif 000008
【図７】
2019152919.tif 000009
【図８】
2019152919.tif 000010
【図９】
2019152919.tif 000011
【図１０】
2019152919.tif 000012